(57)【要約】      （修正有）【課題】カッターブレードの改善を図ったパルパーを提供する。【解決手段】パルパーは、上部に製紙原料投入口、下部に排出口を有し、製紙原料と水を受け入れる槽と、この槽の排出口を覆うように設けられたストレーナと、槽内のストレーナの上に設けられ、前記製紙原料を離解させるロ−タと、このロ−タの裏面に取り付けられ、ロ−タの回転翼の前縁ＡＢに沿うように設けられた長手方向に長い前側カッターブレード１０と、ロ−タの裏面に取り付けられ、外側に行くにつれて前側カッターブレード１０から離間するように傾斜する長手方向に長い傾斜カッターブレード２０と、この傾斜カッターブレード２０の内側の部位２０Ａを介して傾斜カッターブレード２０と前側カッターブレード１０とが一体的に形成されているものである。【選択図】図５
2014005570.tif 000002
【特許請求の範囲】
【請求項１】
上部に製紙原料投入口、下部に排出口を有し、製紙原料と水を受け入れる槽と、
この槽の前記排出口を覆うように設けられたストレーナと、
前記槽内の前記ストレーナの上に設けられ、前記製紙原料を離解させるロ−タと、
このロ−タの裏面に取り付けられ、前記ロ−タの回転翼の前縁に沿うように設けられた長手方向に長い前側カッターブレードと、
前記前縁は、平面視、一直線状に形成され、前記前側カッターブレードは、平面視、一直線状に形成され、
前記ロ−タの裏面に取り付けられ、外側に行くにつれて前記前側カッターブレードから離間するように傾斜する長手方向に長い傾斜カッターブレードと、                  
この傾斜カッターブレードの内側の部位を介して前記傾斜カッターブレードと前記前側カッターブレードとが一体的に形成されている
ことを特徴とするパルパー。
【請求項２】
上部に製紙原料投入口、下部に排出口を有し、製紙原料と水を受け入れる槽と、
この槽の前記排出口を覆うように設けられたストレーナと、
前記槽内の前記ストレーナの上に設けられ、前記製紙原料を離解させるロ−タと、
このロ−タの裏面に取り付けられ、前記ロ−タの回転翼の前縁に沿うように設けられた長手方向に長い前側カッターブレードと、
前記ロ−タの裏面に取り付けられ、外側に行くにつれて前記前側カッターブレードから離間するように傾斜する長手方向に長い傾斜カッターブレードと、                  
この傾斜カッターブレードの内側の部位を介して前記傾斜カッターブレードと前記前側カッターブレードとが接合され、
前記傾斜カッターブレードと前側カッターブレードとは、平坦な面を介しても接合され、
前記平坦な面はロ−タの裏面に当接する
ことを特徴とするパルパー。
【請求項３】
上部に製紙原料投入口、下部に排出口を有し、製紙原料と水を受け入れる槽と、
この槽の前記排出口を覆うように設けられたストレーナと、
前記槽内の前記ストレーナの上に設けられ、前記製紙原料を離解させるロ−タと、
このロ−タの裏面に取り付けられ、前記ロ−タの回転翼の前縁に沿うように設けられた長手方向に長い前側カッターブレードと、
前記ロ−タの裏面に取り付けられ、外側に行くにつれて前記前側カッターブレードから離間するように傾斜する長手方向に長い傾斜カッターブレードと、                  
この傾斜カッターブレードと前記前側カッターブレードとを接続する平坦な面と、
この平坦な面は前記ロ−タの裏面に当接する
ことを特徴とするパルパー。
【発明の詳細な説明】
【技術分野】
【０００１】
本発明は、パルパーに係り、特に、カッターブレードの改善を図ったパルパーに関する。
【背景技術】
【０００２】
従来、槽内にパルプ、古紙等の製紙原料を投入して水中で離解させるパルパーは、槽内に設けたローターにより槽内の製紙原料を回流させながら、製紙原料を離解させている（特許文献１参照）。
上記パルパーにおいては、ローターに、別個独立して取り付けられた一対の第１のカッターブレード、第２のカッターブレード、第３のカッターブレードによって製紙原料は、切断されるようになっている。
【先行技術文献】
【特許文献】
【０００３】
【特許文献１】特開２００８ー２９１３７８号公報
【発明の概要】
【発明が解決しようとする課題】
【０００４】
しかしながら、ブレードが損傷を受ける場合、一対の第１のカッターブレード、第２のカッターブレード、第３のカッターブレードのすべての場合がほとんどで、しかも、交換作業は、ラインを止めて取り外しを行うため、特定の部位のカッターブレードのみを一々交換することはほとんどないのが実状である。
逆に、ローターに、別個独立に一対の第１のカッターブレード、第２のカッターブレード、第３のカッターブレードを取り外して取り付けねばならず、施工作業に手間を要するという問題点もあった。
【０００５】
本発明は、上記の問題点を考慮してなされたもので、カッターブレードの改善を図ったパルパーを提供することを目的とする。
【課題を解決するための手段】
【０００６】
請求項１記載のパルパーは、上部に製紙原料投入口、下部に排出口を有し、製紙原料と水を受け入れる槽と、この槽の前記排出口を覆うように設けられたストレーナと、前記槽内の前記ストレーナの上に設けられ、前記製紙原料を離解させるロ−タと、このロ−タの裏面に取り付けられ、前記ロ−タの回転翼の前縁に沿うように設けられた長手方向に長い前側カッターブレードと、前記前縁は、平面視、一直線状に形成され、前記前側カッターブレードは、平面視、一直線状に形成され、前記ロ−タの裏面に取り付けられ、外側に行くにつれて前記前側カッターブレードから離間するように傾斜する長手方向に長い傾斜カッターブレードと、この傾斜カッターブレードの内側の部位を介して前記傾斜カッターブレードと前記前側カッターブレードとが一体的に形成されているものである。
【０００７】
また、請求項２記載のパルパーは、上部に製紙原料投入口、下部に排出口を有し、製紙原料と水を受け入れる槽と、この槽の前記排出口を覆うように設けられたストレーナと、前記槽内の前記ストレーナの上に設けられ、前記製紙原料を離解させるロ−タと、このロ−タの裏面に取り付けられ、前記ロ−タの回転翼の前縁に沿うように設けられた長手方向に長い前側カッターブレードと、前記ロ−タの裏面に取り付けられ、外側に行くにつれて前記前側カッターブレードから離間するように傾斜する長手方向に長い傾斜カッターブレードと、この傾斜カッターブレードの内側の部位を介して前記傾斜カッターブレードと前記前側カッターブレードとが接合され、前記傾斜カッターブレードと前側カッターブレードとは、平坦な面を介しても接合され、前記平坦な面はロ−タの裏面に当接するものである。
【０００８】
また、請求項３記載のパルパーは、上部に製紙原料投入口、下部に排出口を有し、製紙原料と水を受け入れる槽と、この槽の前記排出口を覆うように設けられたストレーナと、前記槽内の前記ストレーナの上に設けられ、前記製紙原料を離解させるロ−タと、このロ−タの裏面に取り付けられ、前記ロ−タの回転翼の前縁に沿うように設けられた長手方向に長い前側カッターブレードと、前記ロ−タの裏面に取り付けられ、外側に行くにつれて前記前側カッターブレードから離間するように傾斜する長手方向に長い傾斜カッターブレードと、この傾斜カッターブレードと前記前側カッターブレードとを接続する平坦な面と、この平坦な面は前記ロ−タの裏面に当接するものである。
【発明の効果】
【０００９】
請求項１記載のパルパーによれば、ロ−タの裏面に取り付けられ、外側に行くにつれて前側カッターブレードから離間するように傾斜する長手方向に長い傾斜カッターブレードと、この傾斜カッターブレードの内側の部位を介して傾斜カッターブレードと前側カッターブレードとが一体的に形成されているため、傾斜カッターブレードと前側カッターブレードとは近接して設けられ、傾斜カッターブレードが損傷を受けているときは、前側カッターブレードも損傷しているために、カッターブレードの取り付け、取り外しを一度の交換作業で行うことができ、交換の作業性を向上させることができ、
しかも、従来例で記述したローターの前縁は、一直線状に形成されておらず、そのため、ローターの前縁に取り付けられるカッターブレードは、一対の第１のカッターブレードとなっているが、この請求項１記載のパルパーによれば、前縁は、平面視、一直線状に形成され、前側カッターブレードも、平面視、一直線状に形成されているため、ローターの前縁及び前側カッターブレードの加工も簡単である。
【００１０】
また、請求項２記載のパルパーによれば、傾斜カッターブレードと前側カッターブレードとは、平坦な面をも介して接合されるため、傾斜カッターブレードと前側カッターブレードとの結合を強固にし、しかも、平坦な面はロ−タの裏面に当接し、つまり、ロ−タの裏面の部位を傾斜カッターブレードと前側カッターブレードとを接合する平坦な面で覆うため、製紙原料によるロ−タの裏面の部位の損傷を防ぎ、更に、使用により傾斜カッターブレード、前側カッターブレードが損傷を受けた際には、製紙原料に面する平坦な面もえぐられ、損傷を受けているため、一度の交換作業で、平坦な面、カッターブレードの取り外し、取り付けを行うことができ、交換の作業性を向上させることができる。
なお、製紙原料に面する平坦な面がえぐられ、損傷を受けると、損傷した部位に製紙原料が溜まり、溜まった製紙原料は離解しない上に、傾斜カッターブレード、前側カッターブレード近傍の製紙原料の出入りを少なくするため、離解効率をも低下させ、また、製紙原料溜まりを生じると、ロ−タの負荷のみが増加させることとなる。
【００１１】
また、請求項３記載のパルパーによれば、傾斜カッターブレードと前側カッターブレードとは、平坦な面を介して接合されるため、傾斜カッターブレードと前側カッターブレードとの結合を強固にし、しかも、平坦な面はロ−タの裏面に当接し、つまり、ロ−タの裏面の部位を傾斜カッターブレードと前側カッターブレードとを接合する平坦な面で覆うため、製紙原料によるロ−タの裏面の部位の損傷を防ぎ、更に、使用により傾斜カッターブレード、前側カッターブレードが損傷を受けた際には、製紙原料に面する平坦な面もえぐられ、損傷を受けているため、一度の交換作業で、平坦な面、カッターブレードの取り外し、取り付けを行うことができ、交換の作業性を向上させることができる。
【図面の簡単な説明】
【００１２】
【図１】図１は、本発明の一実施例のパルパーの概略的断面図である。
【図２】図２は、図１のパルパーのロ−タとストレーナの概略的分解斜視図である。
【図３】図３は、図２のロ−タの概略的平面図である。
【図４】図４は、図２のロ−タの概略的底面図である。
【図５】図５は、図２の一部を下方斜めから見た概略的斜視図である。
【図６】図６は、図５の一部を分解して示す概略的分解斜視図である。
【発明を実施するための形態】
【００１３】
本発明の一実施例のパルパーを図面を参照して説明する。
図１に示すＰは、槽１内にパルプ、古紙等の製紙原料を投入して水中で離解させるパルパーで、該パルパーＰは、上部に製紙原料投入口１ａ、下部に排出口１ｂを有し、製紙原料と水を受け入れる槽１を有している。
槽１は、下方に位置する逆円錐台部１Ａと、上方に位置する円筒部１Ｂとを有し、円筒部１Ｂは逆円錐台部１Ａに接続されている。
パルプ、古紙等の製紙原料（図示せず）は、槽１内へコンベア（図示せず）により連続的に供給され、また、水は第１のパイプ（図示せず）により槽１内へ供給され、槽１内で離解された製紙原料は第２のパイプ２により、槽１外へと排出されるようになっている。
なお、図１に示す３、３は、槽１を支持する脚部である。
【００１４】
また、図１及び図２に示す４は、槽１の排出口１ｂを覆うように設けられたストレーナで、ストレーナー４は、例えば、丸孔を多数形成した円板状のものである。５は、ストレーナ４の上に設けられ、製紙原料を離解させるロ−タである。ロ−タ５は、モータ６から伝達された動力をベルト７、プーリー８、回転軸９を介して回転されるようになっている。
【００１５】
また、図２及び図３に示す５Ａ、５Ｂは、ロ−タ５の羽根の前縁ＡＢ（図６参照）より突出すると共に、ストレーナ４に向かうように設けられた突出状部材で、この突出状部材５Ａ、５Ｂの垂直方向を横断する方向の断面は略多角形となっている。
【００１６】
また、図４乃至図６に示す１０は前側カッターブレードで、前側カッターブレード１０は、ロ−タ５の裏面（より具体的には、ロ−タ５の回転翼の裏面）に取り付けられ、ロ−タ５の回転翼の前縁ＡＢ（図６参照）に沿うように設けられた長手方向に長いものである。
前縁ＡＢ（図５参照）は、平面視、一直線状に形成され、前側カッターブレード１０は、平面視、一直線状に形成されている（図３乃至図６参照）。
また、図４乃至図６に示す２０は傾斜カッターで、傾斜カッター２０は、ロ−タ５の裏面（より具体的には、ロ−タ５の回転翼の裏面）に取り付けられ、図５に矢印Ｘに示すように、外側に行くにつれて前側カッターブレード１０から離間するように傾斜する長手方向に長いものである。
そして、傾斜カッターブレード２０の内側の部位２０Ａを介して傾斜カッターブレード２０と前側カッターブレード１０とが一体的に形成されている。
【００１７】
従って、上述したパルパーＰによれば、ロ−タ５の回転により製紙原料は槽１内を回流して、ロ−タ５の羽根の裏面に設けられた前側カッターブレード１０、傾斜カッターブレード２０によって製紙原料は、切断される。また、突出状部材５Ａ、５Ｂの断面が略多角形のコーナーのエッジでも製紙原料が切断され、製紙原料の離解が促進される。
また、傾斜カッターブレード２０と前側カッターブレード１０とは近接して設けられ、傾斜カッターブレード２０が損傷を受けているときは、前側カッターブレード１０も損傷しているために、カッターブレードの取り付け、取り外しを一度の交換作業で行うことができ、交換の作業性を向上させることができ、
しかも、従来例で記述したローターの前縁は、一直線状に形成されておらず、そのため、ローターの前縁に取り付けられるカッターブレードは、一対の第１のカッターブレードとなっているが、この実施例のパルパーＰによれば、前縁ＡＢは、平面視、一直線状に形成され、前側カッターブレード１０も、平面視、一直線状に形成されているため、ローター５の羽根の前縁ＡＢ及び前側カッターブレード１０の加工も簡単である。
【００１８】
また、図５、図６に示す３０は平坦な面で、この平坦な面３０を介して傾斜カッターブレード２０と前側カッターブレード１０とは、接合されている。平坦な面３０は、傾斜カッターブレード２０の最下面及び前側カッターブレード１０の最下面より高い位置にある。そして、平坦な面３０はロ−タ５の裏面（より具体的には、ロ−タ５の回転翼の裏面）に当接している。
なお、一体化された傾斜カッターブレード２０、前側カッターブレード１０は、ボルト４０をロ−タ５の回転翼に設けた貫通孔５ａを介して平坦な面３０の雌ねじ３０ａに螺合させて、取り付けられている。
【００１９】
従って、ロ−タ５の裏面（より具体的には、ロ−タ５の回転翼の裏面）の部位（例えば、図５に記載したＹ）を傾斜カッターブレード２０と前側カッターブレード１０とを接合する平坦な面３０で覆うため、製紙原料によるロ−タ５の裏面の部位Ｙ(図６参照)の損傷を防ぎ、更に、使用により傾斜カッターブレード２０、前側カッターブレード１０が損傷を受けた際には、製紙原料に面する平坦な面３０もえぐられ、損傷を受けているため、一度の交換作業で、平坦な面３０、カッターブレード１０、２０の取り外し、取り付けを行うことができ、交換の作業性を向上させることができる。
なお、製紙原料に面する平坦な面３０がえぐられ、損傷を受けると、損傷した部位に製紙原料が溜まり、溜まった製紙原料は離解しない上に、傾斜カッターブレード２０、前側カッターブレード１０近傍の製紙原料の出入りを少なくするため、離解効率をも低下させ、また、製紙原料溜まりを生じると、ロ−タ５の負荷のみが増加させることとなる。
【００２０】
なお、上述した実施例においては、傾斜カッターブレード２０の内側の部位２０Ａ(図５及び図６参照)を介して傾斜カッターブレード２０と前側カッターブレード１０とが一体的に形成されているものに加え、平坦な面３０を介して傾斜カッターブレード２０と前側カッターブレード１０とを接合したが、本願発明にあっては、これに限らず、図示しないが、傾斜カッターブレード２０の内側の部位２０Ａを前側カッターブレード１０と離間させ、傾斜カッターブレード２０と前側カッターブレード１０を平坦な面３０のみで接合させて、一体化させるようにしても良い。
【符号の説明】
【００２１】
Ｐ      パルパー
１      槽
４      ストレーナ
５      ロ−タ
１０    前側カッターブレード
２０    傾斜カッターブレード
【図１】
2014005570.tif 000003
【図２】
2014005570.tif 000004
【図３】
2014005570.tif 000005
【図４】
2014005570.tif 000006
【図５】
2014005570.tif 000007
【図６】
2014005570.tif 000008